(57)【要約】【課題】吊り元部材を小型化できると共に、吊り元部材を構造物側に固定する際の施工精度も要求されず容易に施工できるようにする。【解決手段】ブロック塀等の構造物２の壁面に上下方向に複数の吊り元部材１０をネジにより固定し、各吊り元部材１０の吊り元側端枠８との対向面に、門扉本体５の吊り元側端枠８を縦軸心廻りに回転可能に支持する表示１１の固定側のヒンジ金具を上下方向及び内外方向に位置調整可能に固定したものである。【選択図】  図１
2004244898.tif 000002
【特許請求の範囲】
【請求項１】
吊り元部材（１０）にヒンジ（１１）を介して門扉本体（５）の吊り元側端枠（８）を縦軸心廻りに回転可能に取り付けた伸縮門扉の取り付け構造において、ブロック塀等の構造物（２）の壁面に上下方向に複数の前記吊り元部材（１０）をネジにより固定し、該各吊り元部材（１０）の前記吊り元側端枠（８）との対向面に、前記ヒンジ（１１）の固定側のヒンジ金具（４２）を上下方向及び内外方向に位置調整可能に固定したことを特徴とする伸縮門扉の取り付け構造。
【発明の詳細な説明】
【０００１】
【発明の属する技術分野】
本発明は、ブロック塀等の構造物の壁面に伸縮門扉の吊り元側を取り付けるための伸縮門扉の取り付け構造に関するものである。
【０００２】
【従来の技術】
従来、回転収納式の伸縮門扉を設置する場合の取り付け構造には、吊り元支柱の下部側を地中に埋め込んで門扉本体を支持する構造の他に、ヒンジの固定側のヒンジ金具の基部をコンクリート製のブロック塀等の構造物の壁面に埋め込んで門扉本体を支持する構造がある。
【０００３】
また観音開き式の開閉扉では、上下方向に長いベース部材を構造物の壁面にネジで固定し、このベース部材に、上下方向に位置調整可能に設けられた複数の固定部材と、その各固定部材に設けられた複数のヒンジとを介して扉本体の基部側を取り付けたものがある（例えば、特許文献１参照）。
【０００４】
【特許文献１】
特開２００１−１７３３０２号公報
【０００５】
【発明が解決しようとする課題】
従来のヒンジ金具埋め込み構造では、ブロック塀等の構造物の壁面を直接利用できる利点はあるが、構造物の壁面にヒンジ金具の基部側を埋め込むための穴を掘らなければならず、しかもヒンジ金具の埋め込み位置の精度が要求されるため、構造物がコンクリート製のブロック塀等の場合には、その施工が非常に煩雑であるという問題がある。
【０００６】
一方、伸縮門扉においても、観音開き式の開閉扉と同様に、上下方向に長い吊り元部材を構造物の壁面側にネジで固定し、この吊り元部材に上下方向に複数のヒンジを介して門扉本体の吊り元側端枠を取り付ける構造を採用すれば、構造物の壁面にアンカーを挿入して、そのアンカーに螺合するネジで吊り元部材を固定できるので、構造物がコンクリート製のブロック塀であっても、その壁面に大きな穴を掘る必要がなく、容易に吊り元部材を固定できる利点がある。
【０００７】
しかし、回転収納式の伸縮門扉の場合には、観音開き式の開閉扉の場合とは異なって、門扉本体の内外方向の寸法（厚さ）が大きい上に、構造物との間に所定の間隔を置いて門扉本体を配置する必要があることから、構造的に吊り元部材が非常に大型化し、また意匠的にも門扉本体と調和し難いという問題がある。このため観音開き式の開閉扉の取り付け構造を、そのまま伸縮門扉に採用することはできない。
【０００８】
本発明は、このような従来の問題点に鑑み、吊り元部材を小型化できると共に、吊り元部材を構造物側に固定する際の施工精度も要求されず容易に施工できる伸縮門扉の取り付け構造を提供することを目的とする。
【０００９】
【課題を解決するための手段】
本発明は、吊り元部材１０にヒンジ１１を介して門扉本体５の吊り元側端枠８を縦軸心廻りに回転可能に取り付けた伸縮門扉の取り付け構造において、ブロック塀等の構造物２の壁面に上下方向に複数の前記吊り元部材１０をネジにより固定し、該各吊り元部材１０の前記吊り元側端枠８との対向面に、前記ヒンジ１１の固定側のヒンジ金具４２を上下方向及び内外方向に位置調整可能に固定したものである。
【００１０】
【発明の実施の形態】
以下に、本発明の実施形態を図面に基づいて詳述する。図１〜図９は本発明の第１の実施形態を例示する。図１（ａ）（ｂ）において、１は出入口で、この出入口１の左右両側に構造物、例えばコンクリート製のブロック塀２，３が設けられている。
【００１１】
出入口１にはこれを開閉する回転収納式の伸縮門扉４が設けられている。伸縮門扉４は出入口１の開閉方向に伸縮自在な門扉本体５を備え、ブロック塀２，３の内側に、このブロック塀２，３との間に所定の間隔を置いて開閉方向に配置されている。
【００１２】
門扉本体５は複数の斜架材をピン軸結合して伸縮自在に構成されたパンタグラフ機構６と、パンタグラフ機構６の伸縮方向に所定間隔を置いて配置され且つ斜架材の交差部でパンタグラフ機構６にピン軸結合された複数の中間縦枠材７と、パンタグラフ機構６の両端に配置された吊り元側端枠８及び戸当たり側端枠９とを備えている。
【００１３】
門扉本体５は、吊り元側端枠８が一方のブロック塀２の壁面に固定された上下方向に一対（複数）の吊り元部材１０にヒンジ１１を介して取り付けられており、収縮状態で開閉位置Ａと回転収納位置Ｂとの間でヒンジ１１のヒンジ軸１２の縦軸心廻りに略１８０度回転可能であり、開閉位置Ａでは回転止め手段５６によりロック可能である。また門扉本体５は、出入口１を閉鎖する伸長状態の時に、戸当たり側端枠９が他方のブロック塀３の壁面に固定された戸当たり部材１３に当接して、施錠手段１４により施錠可能である。
【００１４】
各吊り元部材１０は調整ブラケット１５を介して、また戸当たり部材１３は調整ブラケット１６を介して夫々ブロック塀２，３の壁面に固定されている。なお、門扉本体５の適当箇所の中間縦枠材７と戸当たり側端枠９との下側には、地面上を伸縮方向に走行するキャスター１７が設けられている。
【００１５】
吊り元側の調整ブラケット１５は門扉本体５の上部及び下部に対応して上下方向に所定の間隔を置いて一対（複数）配置され、戸当たり側の調整ブラケット１６は門扉本体５の上部に対応して１個配置されている。そして、各調整ブラケット１５，１６は、図２〜図５に吊り元側を、図６〜図９に戸当たり側を示すように、ブロック塀２，３の壁面から内側へと略水平方向に突出すると共に、基部側の取り付け板１８，１９がアンカー２０，２１とネジ２２，２３とにより、ブロック塀２，３に対して門扉本体５の伸縮方向に位置調整可能に取り付けられている。
【００１６】
取り付け板１８，１９には調整ブラケット１５，１６の上下両側に調整用の長孔２４，２５が伸縮方向に形成され、この長孔２４，２５にネジ２２，２３が挿通されている。従って、調整ブラケット１５，１６は長孔２４，２５の範囲内で位置調整可能である。アンカー２０，２１はブロック塀２，３の壁面に形成された挿入穴２６，２７に挿入され、ネジ２２，２３を締結することにより外側に拡径してブロック塀２，３に固定されている。
【００１７】
吊り元側の各調整ブラケット１５の内端側にはその門扉本体５側の側面に吊り元部材１０が、また戸当たり側の調整ブラケット１６の内端側にはその門扉本体５側の側面に戸当たり部材１３が夫々ネジ２８，２９により内外方向に位置調整自在で且つ着脱自在に固定されている。吊り元部材１０、戸当たり部材１３には、ネジ２８，２９に対応して内外方向の長孔７２，７３が形成され、この長孔７２，７２にネジ２８，２９が挿通されている。
【００１８】
従って、吊り元部材１０、戸当たり部材１３の調整ブラケット１５，１６に対する取り付け位置を長孔７２，７３の範囲内で内外方向に調整可能であると共に、吊り元側では上下の吊り元部材１０の調整ブラケット１５に対する取り付け位置を内外方向に調整することにより、門扉本体５の内外方向の傾き、姿勢等を適宜調整可能である。なお、吊り元部材１０、戸当たり部材１３側を丸孔とし、調整ブラケット１５，１６のネジ挿通孔を内外方向の長孔として、吊り元部材１０、戸当たり部材１３を調整ブラケット１５，１６に位置調整可能に設けても良い。
【００１９】
吊り元部材１０と吊り元側端枠８、戸当たり部材１３と戸当たり側端枠９は、互いに門扉本体５の伸縮方向に対向している。そして、各吊り元部材１０と吊り元側端枠８との対向面に、１本のヒンジ軸１２を共通にする各ヒンジ１１が各吊り元部材１０に対応して設けられている。また上側の吊り元部材１０の対向面側に受け金具３０が設けられ、吊り元側端枠８の対向面側に受け金具３０に対応して回転止め金具３１とストッパー３２とが設けられている。なお、受け金具３０、回転止め金具３１及びストッパー３２により、開閉位置Ａで門扉本体５の回転を止める回転止め手段５６が構成されている。
【００２０】
戸当たり部材１３と戸当たり側端枠９は、門扉本体５の伸長時に対向面側が当接可能であり、その戸当たり部材１３側に施錠手段１４の受け具３３が設けられ、また戸当たり側端枠９に施錠手段１４の掛け具３４と戸当たりガイド３５とが設けられている。
【００２１】
吊り元部材１０は図２〜図５に示すように、上下に開口し且つ対向面側が略平坦状に形成された平面視略矩形筒状であって、その対向面の内外両側に上下方向の案内溝３６が形成されている。即ち、吊り元部材１０は矩形筒状部３７と、この矩形筒状部３７の対向面側から内外方向の両側に突出する突出部３８とを一体に備え、その各突出部３８の対向面側に案内溝３６が形成されている。なお、吊り元部材１０と調整ブラケット１５は上下方向の寸法が略同じであり、両者の上下両側が略同一高さとなっている。また吊り元部材１０の上下両側には、その開口を塞ぐキャップを設けても良い。
【００２２】
吊り元側端枠８は図２、図３に示すように、吊り元部材１０の各突出部３８に略対応する上下方向の枠部３９を内外両側に備え、その各枠部３９の吊り元部材１０側の対向面に、吊り元部材１０側の各案内溝３６と略対応する案内溝４０が上下方向に形成されている。
【００２３】
各ヒンジ１１は図２〜図４に示すように、吊り元部材１０の対向面にネジ４１により取り付けられた固定側のヒンジ金具４２と、この固定側のヒンジ金具４２の上側で吊り元側端枠８の対向面にネジ４３により取り付けられた可動側のヒンジ金具４４と、上下一対の両ヒンジ１１に跨がって各ヒンジ金具４２，４４の筒部４２ａ，４４ａに挿通された１本の共通のヒンジ軸１２とを備えている。なお、ヒンジ軸１２は各ヒンジ１１毎に分割しても良い。
【００２４】
固定側のヒンジ金具４２は、その筒部４２ａの近傍等の適当箇所に内外方向の長孔４５が上下方向に一対（複数）設けられ、例えば筒部４２ａが吊り元部材１０の内側近傍に位置した状態で、内側の突出部３８内の押さえ板４６と、長孔４５から内側の案内溝３６を経て押さえ板４６に螺合するネジ４１とにより、吊り元部材１０に調整可能に固定されている。従って、固定側のヒンジ金具４２は、吊り元部材１０に対して案内溝３６及び長孔４５に沿って上下方向及び内外方向に位置調整可能である。
【００２５】
可動側のヒンジ金具４４は、その筒部４４ａの近傍等の適当箇所に上下方向に一対（複数）の調整用の長孔４７が内外方向に設けられ、例えば筒部４４ａが吊り元側端枠８の内側の枠部３９の内側近傍に位置した状態で、内側の枠部３９内の押さえ板４８と、長孔４７から内側の案内溝４０を経て押さえ板４８に螺合するネジ４３とにより、吊り元側端枠８に上下方向及び内外方向に位置調整可能に固定されている。
【００２６】
なお、固定側のヒンジ金具４２及び／又は可動側のヒンジ金具４４は、回転止め手段５６の受け金具３０、回転止め金具３１等と干渉しない場合、又は回転止め手段５６がない場合には、吊り元部材１０、吊り元側端枠８の内外両側の案内溝３６，４０にネジ４１，４３を挿通して、内外方向の２箇所のネジ４１，４３により上下方向に位置調整可能に取り付けても良い。
【００２７】
受け金具３０は固定側のヒンジ金具４２の外側に配置され、外側の突出部３８内の押さえ板４９と、受け金具３０の基部側から案内溝３６を経て押さえ板４９に螺合するネジ５０とにより、上下方向に位置調整可能に固定されている。
【００２８】
ストッパー３２は受け金具３０に対応して吊り元側端枠８の外側の枠部３９に設けられ、枠部３９内の押さえ板（図示省略）と、ストッパー３２の基部側から案内溝４０を経て押さえ板に螺合するネジ５１とにより上下調整可能に固定されている。
【００２９】
回転止め金具３１は図２〜図５に示すように、開閉位置Ａで受け金具３０に係脱自在に係合する係合部５２と、上下操作用の孔等の操作部５３とを有し、その基部側がストッパー３２の上側で吊り元側端枠８の外側の枠部３９に、この枠部３９内の押さえ板５４ａと、この押さえ板５４ａに螺合する上下一対のネジ５４等により案内溝４０に沿って上下方向に摺動自在に取り付けられている。
【００３０】
戸当たり部材１３は、図６〜図９に示すように対向面側が開放する平面視略コ字状であって、その対向面の内外両側に上下方向の案内溝５５が形成されている。即ち、戸当たり部材１３はコ字状部５７と、このコ字状部５７の対向面側から内外方向の両側に突出する突出部５８とを一体に備え、その各突出部５８の対向面側に案内溝５５が形成されている。また戸当たり部材１３は調整ブラケット１６から上下両側に突出する長さを有し、その上下方向の略中央部でネジ２９により調整ブラケット１６に固定されている。戸当たり部材１３の上下両端にはキャップ５９が設けられている。
【００３１】
戸当たり側端枠９は図６、図８に示すように、戸当たり部材１３の各突出部５７と略対応する上下方向の枠部６０を内外両側に備え、その各枠部６０の戸当たり部材１３側の対向面に、戸当たり部材１３側の各案内溝５５と略対応する案内溝６１が上下方向に形成されている。
【００３２】
施錠手段１４の受け具３３は図６〜図９に示すように、調整ブラケット１６に対応する位置で戸当たり部材１３内に配置され、両側のブラケット６２を介して、各突出部５８内の押さえ板６３と、ブラケット６２から案内溝５５を経て押さえ板６３に螺合するネジ６４とにより、上下方向に位置調整可能に固定されている。
【００３３】
施錠手段１４の掛け具３４は図６〜図９に示すように、戸当たり側端枠９の枠部６０に内外方向に挿通された枢軸６５にその枠部６０間で固定され、戸当たり側端枠９を戸当たり部材１３に当接した時に、戸当たり部材１３側の受け具３３に対して係脱自在に係合する。枢軸６５の内外両端には操作レバー６６が設けられている。なお、施錠手段１４はつまみ部６７の操作により掛け具３４をロック可能である。
【００３４】
戸当たりガイド３５は図６、図８、図９に示すように、戸当たり側端枠９が戸当たり部材１３に当接する時に、両者の内外方向の位置が一致するように戸当たり側端枠９を案内するためのもので、戸当たり部材１３の両突出部の内側により案内されるように、掛け具３４に対して一方の対角線方向の両側に配置され、その基部側が枠部６０内の押さえ板６８と、案内溝６１を経て押さえ板６８に螺合するネジ６９とにより、上下方向に位置調整可能に固定されている。
【００３５】
伸縮門扉４の施工に際しては、先ず各ブロック塀２，３の壁面の所定位置にドリル等で挿入穴２６，２７を形成し、その挿入穴２６，２７にアンカー２０，２１を入れる。次に調整ブラケット１５，１６の長孔２４，２５から挿入したネジ２２，２３をアンカー２０，２１に螺合し締結することにより、各ブロック塀２，３の壁面に夫々の調整ブラケット１５，１６を固定する。
【００３６】
また必要に応じて長孔２４，２５の範囲内で各調整ブラケット１５，１６の位置を門扉本体５の伸縮方向に適宜調整し、吊り元部材１０、戸当たり部材１３を適正位置に配置する。そして、吊り元部材１０、戸当たり部材１３の位置が決まれば、上下一対のヒンジ１１を介して門扉本体５の吊り元側端枠８を各吊り元部材１０に取り付ける等、各部材の取り付け作業を行う。
【００３７】
このようにすれば、従来のようにブロック塀２，３の壁面に大きな穴を掘る必要がなく、ブロック塀２，３に対する穴あけ作業、その他の作業が容易であるため、伸縮門扉４の施工、改装等を容易にできる。しかも各調整ブラケット１５，１６が伸縮方向に位置調整可能であり、また吊り元側では各ヒンジ１１のヒンジ金具４２，４４がネジ４１，４３等により吊り元部材１０、吊り元側端枠８に対して上下方向に位置調整可能であるため、吊り元部材１０を固定する際に調整ブラケット１５をブロック塀２に対して伸縮方向に調整し、ヒンジ金具４２，４４を吊り元部材１０、吊り元側端枠８に対して上下方向に調整することによって、吊り元部材１０の伸縮方向の位置、門扉本体５の上下方向の高さ等を容易に調整できる。戸当たり側でも同様である。従って、調整ブラケット１５，１６の取り付け精度が要求されず、ブロック塀２，３に挿入穴２６，２７を形成するに当たっても、その伸縮方向及び上下方向の位置を厳密に管理する必要がない。
【００３８】
吊り元側では一方のブロック塀２から内側に突出する上下一対の調整ブラケット１５の先端に、夫々独立の吊り元部材１０を固定し、この各吊り元部材１０にヒンジ１１を介して門扉本体５の吊り元側端枠８を取り付けており、また戸当たり側では他方のブロック塀３から内側に突出する調整ブラケット１６の先端に戸当たり部材１３を固定し、この戸当たり部材１３と門扉本体５の戸当たり側端枠９とに跨がって施錠手段１４を設けている。このためブロック塀２，３から内側に所定の間隔を置いて門扉本体５を配置しているにも拘わらず、構造的に吊り元部材１０、戸当たり部材１３を小型化でき、至極簡単な構造で直付けヒンジを構成できると共に、調整ブラケット１５，１６、吊り元部材１０、戸当たり部材１３等を含む吊り元側及び戸当たり側の意匠的な釣り合いも良好にできる。
【００３９】
また吊り元部材１０を上下に分けて、その各吊り元部材１０に対応するヒンジ１１を介して吊り元側端枠８を取り付けているが、上下のヒンジ１１に跨がって１本のヒンジ軸１２を設け、そのヒンジ軸１２を共通にしているので、各ヒンジ１１での芯ズレ等を容易に防止できる。
【００４０】
しかも各ヒンジ１１のヒンジ金具４２，４４が吊り元部材１０、吊り元側端枠８に対して内外方向に位置調整自在であるため、両者の芯合わせ等が容易であると共に、ヒンジ金具４２，４４の位置によってブロック塀２と門扉本体５との間隔を容易に調整でき、ブロック塀２の塀際に障害物があるような場合でも、その障害物と門扉本体５との干渉を容易に回避できる。
【００４１】
また吊り元部材１０と吊り元側端枠８との対向面にヒンジ１１のヒンジ金具４２，４４があるため、簡単な構造でヒンジ金具４２，４４の吊り元部材１０、吊り元側端枠８に対する内外方向の位置調整を容易に行うことができる。
【００４２】
図１０〜図１４は本発明の第２の実施形態を例示する。この実施形態では、図１０（ａ）（ｂ）に示すように、出入口１の両側でブロック塀２，３の壁面が相対向しており、その両ブロック塀２，３の相対向する壁面間の出入口１側の近傍に伸縮門扉４が配置されている。
【００４３】
吊り元部材１０は各ヒンジ１１に対応する位置にあり、図１１、図１２に示すようにその取り付け面７０が上下、内外の複数のアンカー２０、ネジ２２等により一方のブロック塀２の壁面に固定されている。また戸当たり部材１３は施錠手段１４に対応する位置にあり、図１３、図１４に示すようにその取り付け面７１が上下、内外の複数のアンカー２１、ネジ２３等により他方のブロック塀３の壁面に固定されている。吊り元部材１０、戸当たり部材１３の取り付け面７０，７１には、図１１〜図１４に示すように内外方向の長孔７２，７３が形成され、その長孔７２，７３にネジ２２，２３が挿入されている。従って、吊り元部材１０、戸当たり部材１３は各ブロック塀２，３の壁面に沿って、門扉本体５の伸縮方向と直交又は交差する内外方向に位置調整可能である。
【００４４】
吊り元部材１０は取り付け面７１を含む部分が平面視略矩形筒状であるため、この吊り元部材１０には、長孔７２に対するネジ２２の挿入、及びそのネジ２２を操作する操作手段の挿入を容易にするために、その対向面側に長孔７２に対応する丸孔状の挿通部７４が形成されている。挿通部７４は長孔、切欠き、開口でも良い。
【００４５】
なお、吊り元部材１０は取り付け面７１を含む平面視コ字状のベース部材と、このベース部材にネジ等で着脱自在に装着される対向面側の部材との二部材により構成しても良い。吊り元部材１０、戸当たり部材１３はブロック塀２，３の壁面に対して位置調整不能に固定しても良い。
【００４６】
この実施形態では、一方のブロック塀２，３に沿って略平行に門扉本体５を収納するため、門扉本体５はヒンジ１１の縦軸心廻りに開閉位置Ａと回転収納位置Ｂとの間で略９０度回転可能である。またヒンジ１１のヒンジ軸１２を吊り元部材１０、吊り元側端枠８から内側に突出させて、門扉本体５を回転収納位置Ｂでブロック塀２の壁面と略平行にした時にも、戸当たり側端枠９から突出する操作レバー６６がブロック塀２と接触しないようにしている。その他の構造は第１の実施形態と同じである。
【００４７】
この実施形態に例示するようにブロック塀２，３の相対向する壁面間に伸縮門扉４を設置する場合には、吊り元部材１０、戸当たり部材１３を各ブロック塀２，３の壁面に直接アンカー２０，２１、ネジ２２，２３等で固定しても良く、この場合にも第１の実施形態と同様の効果を得ることが可能である。
【００４８】
図１５は本発明の第３の実施形態を例示する。この実施形態では、図１５に示すように、出入口１の両側のブロック塀２，３が交差する方向に配置されており、その両ブロック塀２，３間の出入口１側に伸縮門扉４が配置されている。
【００４９】
この実施形態では、門扉本体５の伸縮方向と略平行なブロック塀２の壁面に調整ブラケット１５を介して吊り元部材１０が固定され、この吊り元部材１０にヒンジ１１を介して、門扉本体５が開閉位置Ａと回転収納位置Ｂとの間で回転可能に取り付けられている。また他方のブロック塀３の壁面に戸当たり部材１３が固定されている。なお、吊り元側の構造は第１の実施形態と同様であり、戸当たり側の構造は第２の実施形態と同様である。
【００５０】
この実施形態に例示するように両ブロック塀２，３の位置関係によっては、吊り元部材１０を調整ブラケット１５を介してブロック塀２に固定し、戸当たり部材１３をブロック塀３に直接又は近接させて固定しても良い。なお、門扉本体５を出入口１の内外方向に平行なブロック塀３に沿って回転収納する場合には、逆に吊り元部材１０をブロック塀３に直接又は近接させて固定し、戸当たり部材１３を調整ブラケット１６を介してブロック塀２に固定しても良い。
【００５１】
図１６、図１７は本発明の第４の実施形態を例示する。この実施形態では、各ヒンジ１１はヒンジ軸１２が別々に設けられており、その固定側のヒンジ金具４２が独立する吊り元部材１０を介して各調整ブラケット１５に夫々取り付けられている。
【００５２】
そして、下側のヒンジ軸１２が門扉本体５側に接近し、上側のヒンジ軸１２が門扉本体５から離間して、下側のヒンジ軸１２が上側のヒンジ軸１２に対して門扉本体５側に所定量Ｌだけ突出するように、上下の各調整ブラケット１５はその長孔２４の範囲で門扉本体５の伸縮方向に位置を変えて配置されている。他の構成は第１の実施形態と同じである。
【００５３】
門扉本体５の下側にキャスター１７のないハンガー式の伸縮門扉４の場合には、このように上下のヒンジ軸１２の位置を門扉本体５の伸縮方向に若干変えることによって、門扉本体５の戸当たり端側の垂れ下がりを防止できる。
【００５４】
図１８、図１９は本発明の第５の実施形態を例示する。この実施形態では、吊り元部材１０が取り付け面側のコ字状部７５と対向面側の平板部７６とで一体に構成され、その平板部７６に上下方向の長孔７７が、固定側のヒンジ金具４２に左右方向の長孔４５が夫々形成され、その両長孔４５，７７に挿通されるネジ４１と、これに螺合するナット７８とによって、固定側のヒンジ金具４２が吊り元部材１０に対して上下方向及び内外方向に位置調整自在に固定されている。
【００５５】
この実施形態に吊り元側を例示するように、固定側のヒンジ金具４２、可動側のヒンジ金具４４は、吊り元部材１０、吊り元側端枠８に対して上下方向、内外方向に位置調整可能であれば十分であり、その調整構造は特に問題ではない。可動側のヒンジ金具４４は、吊り元側端枠８に対して上下方向にのみ位置調整可能にしても良い。
【００５６】
以上、本発明の各実施形態について詳述したが、本発明はこの各実施形態に限定されるものではなく、その他種々の態様で実施することができる。例えば、門扉本体５は開閉方向に伸縮可能であれば、パンタグラフ機構６以外のものでも良い。また伸縮門扉４は実施形態に例示するキャスター式、ハンガー式の他、両開き式、ガイドレール式等でも良い。調整ブラケット１５，１６、吊り元部材１０、吊り元側端枠８、戸当たり部材１３、戸当たり側端枠９は、実施形態に例示の形状、構造以外のものでも良い。
【００５７】
吊り元部材１０、調整ブラケット１５、ヒンジ１１は上下方向に独立して２個以上の複数あれば十分である。その場合、ヒンジ軸１２は共通、独立の何れでも良い。調整ブラケット１５，１６に吊り元部材１０、戸当たり部材１３を設ける場合に、調整ブラケット１５と吊り元部材１０、調整ブラケット１６と戸当たり部材１３を夫々別々に成形してネジで固定する他、一体に構成しても良い。
【００５８】
調整ブラケット１５，１６をブロック塀２，３の壁面に固定する場合、吊り元部材１０、戸当たり部材１３をブロック塀２，３の壁面に固定する場合の固定手段として、実施形態ではアンカー２０，２１とネジ２２，２３とを使用しているが、コンクリート用のタッピングネジを使用しても良い。構造物はブロック塀２，３等のコンクリート製の塀の他、コンクリート製の建造物、木造製又は金属製の建造物等でも良い。戸当たり側にブロック塀２，３がない場合には、従来と同様に地面に戸当たり支柱を立設しても良い。
【００５９】
【発明の効果】
本発明では、吊り元部材１０にヒンジ１１を介して門扉本体５の吊り元側端枠８を縦軸心廻りに回転可能に取り付けた伸縮門扉の取り付け構造において、ブロック塀等の構造物２の壁面に上下方向に複数の前記吊り元部材１０をネジにより固定し、各吊り元部材１０の前記吊り元側端枠８との対向面に、前記ヒンジ１１の固定側のヒンジ金具４２を上下方向及び内外方向に位置調整可能に固定しているので、吊り元部材１０を小型化できると共に、吊り元部材１０を構造物２側に固定する際の施工精度も要求されず容易に施工できる。しかも各吊り元部材１０の吊り元側端枠８との対向面に、ヒンジ１１の固定側のヒンジ金具４２を上下方向及び内外方向に位置調整可能に固定しているため、その調整機構の構造も簡単にできる。
【図面の簡単な説明】
【図１】（ａ）は本発明の第１の実施形態を示す伸縮門扉の平面図、（ｂ）はその正面図である。
【図２】本発明の第１の実施形態を示す回転収納状態の吊り元側の平面断面図である。
【図３】本発明の第１の実施形態を示す回転収納状態の吊り元側の側面断面図である。
【図４】本発明の第１の実施形態を示す回転止め状態の吊り元側の正面図である。
【図５】本発明の第１の実施形態を示す回転止め状態の吊り元側の背面図である。
【図６】本発明の第１の実施形態を示す戸当たり側の平面断面図である。
【図７】本発明の第１の実施形態を示す戸当たり側の側面図である。
【図８】本発明の第１の実施形態を示す門扉本体の戸当たり側の側面図である。
【図９】本発明の第１の実施形態を示す戸当たり側の正面断面図である。
【図１０】（ａ）は本発明の第２の実施形態を示す伸縮門扉の平面図、（ｂ）はその正面図である。
【図１１】本発明の第２の実施形態を示す回転収納状態の吊り元側の平面断面図である。
【図１２】本発明の第２の実施形態を示す吊り元側の側面図である。
【図１３】本発明の第２の実施形態を示す戸当たり側の側面図である。
【図１４】本発明の第２の実施形態を示す戸当たり側の平面断面図である。
【図１５】本発明の第３の実施形態を示す伸縮門扉の平面図である。
【図１６】本発明の第４の実施形態を示す伸縮門扉の正面図である。
【図１７】本発明の第４の実施形態を示す説明図である。
【図１８】本発明の第５の実施形態を示す吊り元側の平面図である。
【図１９】本発明の第５の実施形態を示す吊り元側の斜視図である。
【符号の説明】
２  ブロック塀（構造物）
５  門扉本体
８  吊り元側端枠
１０  吊り元部材
１１  ヒンジ
４２  ヒンジ金具
【図１】
2004244898.tif 000003
【図２】
2004244898.tif 000004
【図３】
2004244898.tif 000005
【図４】
2004244898.tif 000006
【図５】
2004244898.tif 000007
【図６】
2004244898.tif 000008
【図７】
2004244898.tif 000009
【図８】
2004244898.tif 000010
【図９】
2004244898.tif 000011
【図１０】
2004244898.tif 000012
【図１１】
2004244898.tif 000013
【図１２】
2004244898.tif 000014
【図１３】
2004244898.tif 000015
【図１４】
2004244898.tif 000016
【図１５】
2004244898.tif 000017
【図１６】
2004244898.tif 000018
【図１７】
2004244898.tif 000019
【図１８】
2004244898.tif 000020
【図１９】
2004244898.tif 000021